(57)【要約】【課題】端に位置する面材で受けられて跳ね返った落下物が開放側の側方から落下するおそれがなく、安全性の高い仮設足場用朝顔装置を提供する。【解決手段】仮設足場用朝顔装置1は、仮設足場Sの前側部に左右に間隔をおいて並んでいる複数本の支柱S1の所定高さ位置に後端部が連結されて前上がり傾斜状に設置される複数本の縦枠部材3と、左右に隣り合う支柱S1に後端部が連結された縦枠部材3にまたがって張り止められている面材7と、複数本の縦枠部材3のうち端に位置する縦枠部材3と同縦枠部材3の後端部が連結されている支柱S1における同後端部よりも上方部分との間に設けられている側部カバー10とを備えている。【選択図】図１
2020084683.tif 000002
【特許請求の範囲】
【請求項１】
仮設足場の前側部に左右に間隔をおいて並んでいる複数本の支柱の所定高さ位置に後端部が連結されて前上がり傾斜状に設置される複数本の縦枠部材と、左右に隣り合う支柱に後端部が連結された縦枠部材にまたがって張り止められている面材と、複数本の縦枠部材のうち端に位置する縦枠部材と同縦枠部材の後端部が連結されている支柱における同後端部よりも上方部分との間に設けられている側部カバーとを備えている、仮設足場用朝顔装置。
【請求項２】
縦枠部材の後端部が支柱の所定高さ位置に左右にのびる水平軸を中心として回動可能に連結されて、縦枠部材および面材が揺動自在となされており、側部カバーが、可撓性を有するシートまたはネットよりなる、請求項１記載の仮設足場用朝顔装置。
【請求項３】
側部カバーの下縁部に、縦枠部材の上面に前後に間隔をおいて設けられた複数の取付用ピンが嵌め入れられるかまたは同下縁部を縦枠部材に結び止めるための紐が通される複数のハトメが前後に間隔をおいて設けられており、側部カバーの後縁部に、同後縁部を支柱に結び止めるための紐が通される複数のハトメが上下に間隔をおいて設けられている、請求項２記載の仮設足場用朝顔装置。
【発明の詳細な説明】
【技術分野】
【０００１】
この発明は、仮設足場に張り出し状に設置して、仮設足場からの資材や工具等の落下による事故を防止するために用いられる仮設足場用朝顔装置に関する。
【背景技術】
【０００２】
仮設足場用朝顔装置として、例えば、下記の特許文献１に示すように、仮設足場の前側部における左右に間隔をおいて並んだ複数の支柱の所定高さ位置にそれぞれ連結部材が取り付けられ、各連結部材に縦枠部材の後端部が左右にのびる水平軸を中心として回動自在に連結され、左右に隣り合う２つの支柱の前方に位置する２つの縦枠部材の前端部どうしおよび後端部どうしにそれぞれ前部横枠部材および後部横枠部材が渡し止められるとともに、両縦枠部材、前部横枠部材および後部横枠部材によって形成された方形枠に面材が張り止められ、各縦枠部材の前端部または長さ中間部に棒状の支持部材の前端部が左右にのびる水平軸を中心として回動自在に連結され、各支柱における連結部材よりも下方位置に支持部材の後端部を保持する保持部材が取り付けられているものが知られている。
上記装置は、通常、面材付き方形枠が前上がりに傾斜した角度（通常、水平面に対して２０°以上の傾斜角度）になるように設置して使用され、面材によって受けられた落下物が必ず仮設足場側に跳ね返るようになされている。
【先行技術文献】
【特許文献】
【０００３】
【特許文献１】特許第６３６０９８３号公報
【発明の概要】
【発明が解決しようとする課題】
【０００４】
しかしながら、上記の朝顔装置において、面材で受けられた落下物が左右いずれか一方に傾いて跳ね返ることがあるが、朝顔装置の端に位置する面材の側方は開放しているため、同位置の面材で受けられて跳ね返った落下物が開放側の側方から落下する危険性があった。
【０００５】
この発明は、上記の課題に鑑みてなされたものであって、端に位置する面材で受けられて跳ね返った落下物が開放側の側方から落下するおそれがなく、安全性の高い仮設足場用朝顔装置を提供することを目的としている。
【課題を解決するための手段】
【０００６】
この発明は、上記の目的を達成するために、以下の態様からなる。
なお、この発明を特定するに当たり、仮設足場が設置される建物から遠い側（例えば図１の右側）を「前」といい、同建物に近い側（例えば図１の左側）を「後」といい、また、「左右」は前から見た場合をいうものとする。
【０００７】
１）仮設足場の前側部に左右に間隔をおいて並んでいる複数本の支柱の所定高さ位置に後端部が連結されて前上がり傾斜状に設置される複数本の縦枠部材と、左右に隣り合う支柱に後端部が連結された縦枠部材にまたがって張り止められている面材と、複数本の縦枠部材のうち端に位置する縦枠部材と同縦枠部材の後端部が連結されている支柱における同後端部よりも上方部分との間に設けられている側部カバーとを備えている、仮設足場用朝顔装置。
【０００８】
２）縦枠部材の後端部が支柱の所定高さ位置に左右にのびる水平軸を中心として回動可能に連結されていて、縦枠部材および面材が揺動自在となされており、側部カバーが、可撓性を有するシートまたはネットよりなる、上記１）の仮設足場用朝顔装置。
【０００９】
３）側部カバーの下縁部に、縦枠部材の上面に前後に間隔をおいて設けられた複数の取付用ピンが嵌め入れられるかまたは同下縁部を縦枠部材に結び止めるための紐が通される複数のハトメが前後に間隔をおいて設けられており、側部カバーの後縁部に、同後縁部を支柱に結び止めるための紐が通される複数のハトメが上下に間隔をおいて設けられている、上記２）の仮設足場用朝顔装置。
【発明の効果】
【００１０】
上記１）の仮設足場用朝顔装置によれば、端に位置する面材の開放側の側方が側部カバーで覆われているので、上記特許文献１記載の朝顔装置のように端に位置する面材で受けられて跳ね返った落下物が開放側の側方から落下するおそれがなく、側部カバーによって側方からの落下物の落下が確実に防止され、優れた安全性が得られる。
【００１１】
上記２）の仮設足場用朝顔装置によれば、側部カバーが可撓性を有するシートまたはネットよりなるので、側部カバーを取り外すことなく、縦枠部材および面材を揺動させて設置角度を変更したり強風時に閉じたりする作業を迅速に行うことができ、作業性に優れている。
【００１２】
上記３）の仮設足場用朝顔装置によれば、側部カバーの下縁部および後縁部にハトメが設けられているので、側部カバーを、取付用ピンや紐によって、縦枠部材および支柱に簡単に取り付けることができる。
【図面の簡単な説明】
【００１３】
【図１】この発明の実施形態に係る仮設足場用朝顔装置の側面図である。
【図２】同装置の平面図である。
【図３】図１のIII−III線に沿う断面図である。
【発明を実施するための形態】
【００１４】
図１〜図３は、この発明の実施形態に係る仮設足場用朝顔装置(1)の構造を示したものである。
ここで、図示の仮設足場(S)は、くさび緊結式の足場であって、所要数の支柱(S1)が、間隔をおいて前後２列にかつ列ごとに左右に間隔をおいて立てられている。各支柱(S1)の表面における前後左右それぞれの側部に、平面より見てコ字形の複数のソケット金具(S11)が、上下方向に所定間隔おきに溶接固定されている。前後に並んだ２つの支柱(S1)の所定高さ位置において互いに向かい合う前後側部のソケット金具(S11)に、横桟(S2)の両端部に垂下状に設けられたくさび状のインサート金具(S21)が上方から挿入され、それによって両支柱(S1)と横桟(S2)とが連結されている。左右に隣り合う２つの横桟(S2)に、踏板(S3)の左右端部に設けられたフック(S31)が掛け止められ、それによって両横桟(S2)に踏板(S3)が渡し止められている。左右に隣り合う２つの支柱(S1)の所定高さ位置において互いに向かい合う左右側部のソケット金具(S11)に、手摺(S4)の両端部に垂下状に設けられたくさび状のインサート金具（図示略）が挿入され、それによって両支柱(S1)に手摺(S4)が渡し止められている。
なお、この発明による朝顔装置は、上記構造の仮設足場(S)に限らず、例えばソケット金具の種類や配置が異なる他のくさび緊結式足場や、枠組足場、単管足場にも設置可能である。
【００１５】
図１〜図３に示すように、この実施形態の仮設足場用朝顔装置(1)は、仮設足場(S)の前側部に左右に間隔をおいて並んでいる複数本の支柱(S1)の前側部の所定高さ位置にそれぞれ連結部材(2)が取り付けられ、各連結部材(2)に縦枠部材(3)の後端部が左右にのびる水平軸を中心として回動自在に連結され、左右に隣り合う２つの支柱(S1)の前方に位置する２つの縦枠部材(3)の前端部どうしおよび後端部どうしにそれぞれ前部横枠部材(4)および後部横枠部材(5)が渡し止められるとともに、両縦枠部材(3)、前部横枠部材(4)および後部横枠部材(5)によって形成された方形枠(6)に面材(7)が張り止められ、各縦枠部材(3)の長さ中間部（または前端部）に棒状の支持部材(8)の前端部が左右にのびる水平軸を中心として回動自在に連結され、各支柱(S1)の前側部における連結部材(2)よりも下方位置に支持部材(8)の後端部を保持する保持部材(9)が取り付けられているものである。
そして、複数本の縦枠部材(3)のうち端（左端）に位置する縦枠部材(3)と、同縦枠部材(3)の後端部が連結部材(2)を介して連結されている支柱(S1)における同後端部よりも上方部分との間に、側部カバー(10)が設けられている。この側部カバー(10)により、端（左端）に位置する面材(7)の開放側の側方、すなわち、図２の左側方の空間が覆われている。
【００１６】
連結部材(2)は、垂直板状部(21)と、垂直板状部(21)の前縁に連なって設けられた平面より見て前方に開口したコ字形の連結部(22)とを備えている。
垂直板状部(21)には、支柱(S1)に締付固定可能なクランプ(23)が取り付けられている。
連結部(22)の内側には、縦枠部材(3)の後端部を挿入しうる２つの挿入筒体(24)が、左右に並んで配されている。両挿入筒体(24)は、これらの一端部を緩く貫通して連結部(22)の左右側壁に渡し止められた連結軸により、連結部(22)に個別に揺動自在に連結されている。
なお、連結部材(2)の構造は上記に限定されるものではなく、例えば、２つの挿入筒体(24)を設けずに、連結部(22)に縦枠部材(3)の後端部を直接取り付けるようにしてもよい。また、クランプ(23)に代えて若しくはクランプ(23)に加えて、支柱(S1)の前側部のソケット金具(S11)に挿入可能なくさび状のインサート金具（図示略）を連結部材(2)に設けてもよい。さらに、朝顔装置(1)のサイズが小さい場合には、連結部材(2)と保持部材(9)とを一体の構造としてもよい。
【００１７】
縦枠部材(3)は、金属製の角筒材または角棒材よりなり、その後端部が連結部材(2)の挿入筒体(24)に挿入されて、例えばロックピン（図示略）により挿入筒体(24)に固定されている。これにより、縦枠部材(3)は、後端部を中心として上下揺動自在となされている。
図２に示すように、端（左端）に位置する支柱(S1)に取り付けられた連結部材(2)の２つの挿入筒体(24)のうち内側（右側）のもののみに縦枠部材(3)の後端部が挿入され、中間に位置する支柱(S1)に取り付けられた連結部材(2)の２つの挿入筒体(24)それぞれに縦枠部材(3)の後端部が挿入される。
なお、縦枠部材(3)は、各支柱(S1)に連結部材を介して１本ずつ連結されていても構わない。
【００１８】
前部横枠部材(4)および後部横枠部材(5)も、それぞれ金属製の角筒材または角棒材よりなり、これらの両端部が、適宜の連結手段によって、隣り合う２つの縦枠部材(3)の前端部および後端部にそれぞれ連結固定され、それによって方形枠(6)が形成されている。
図示は省略したが、方形枠(6)の構造材として、さらに筋交いを設けるようにしてもよい。
また、前部横枠部材(4)および後部横枠部材(5)のうち少なくとも一方を省略して構成することも可能である。
【００１９】
面材(7)は、方形枠(6)を被覆しうる大きさを有する方形状のメッシュシートよりなる。
面材(7)の周縁部には、方形枠(6)を構成する２つの縦枠部材(3)、前部横枠部材(4)および後部横枠部材(5)の各上面に設けられたＬ形ピン(61)および折れピン(62)等の取付用ピンがそれぞれ嵌め入れられる複数のハトメ(71)が取り付けられている（図２参照）。すなわち、面材(7)のハトメ(71)に、方形枠(6)のＬ形ピン(61)および折れピン(62)を嵌め入れることにより、面材(7)が方形枠(6)に張り止められている。
また、面材(7)は、後部横枠部材(5)よりも後方にはみ出したはみ出し部(72)を有している。はみ出し部(72)は、上方に折り返されて、例えば紐により２つの支柱(S1)に取り付けられており、同はみ出し部(72)によって、面材(7)と仮設足場(S)の前側部との間に隙間が生じないようになされている。
なお、メッシュシートに代えて、例えばＦＲＰ製やアルミニウム等の金属製のパネルを、面材(7)として方形枠(6)に張り止めるようにしてもよい。
【００２０】
支持部材(8)は、金属製の角筒材または角棒材よりなる。
支持部材(8)の前端部は、縦枠部材(3)の長さ中間部（または前端部）に垂下状に設けられた左右１対の取付ブラケット(31)に、左右にのびる水平な連結軸によって回動自在に連結されている。
支持部材(8)の後端部には、係合ピン(11)が取り付けられている。
【００２１】
保持部材(9)は、上下にのびる角筒部(91)と、角筒部(91)から後方に突出した上下２つの垂直板状部(92)とを備えている。そして、両垂直板状部(92)に、支柱(S1)に締付固定可能なクランプ(93)がそれぞれ取り付けられている。なお、少なくとも一方のクランプ(93)に代えて、支柱(S1)の前側部のソケット金具(S11)に挿入可能なくさび状のインサート金具（図示略）を連結部材(9)に設けてもよい。
角筒部(91)の左右各側壁には、上下方向にのびかつ係合ピン(11)の軸部を通しうるが係合ピン(11)の頭部を通せない幅を有する案内溝(12)と、案内溝(12)における所定の複数（ここでは４つ）の高さ位置からそれぞれ前方にのびた複数の係止溝(13)とが形成されている。各係止溝(13)も、案内溝(12)と同様に、係合ピン(11)の軸部を通しうるが係合ピン(11)の頭部を通せない幅を有している。そして、縦枠部材(3)の所定の複数（ここでは４つ）の揺動角度に応じて支持部材(8)の後端部の位置が上下方向に移動するのに合わせて、係合ピン(11)の軸部を各係止溝(13)の奥底部の縁によって係止しうるようになっている。縦枠部材(3)の揺動角度、つまり、面材(7)付き方形枠(6)の設置角度は、水平面に対して２０°よりも大きくなされている。
【００２２】
側部カバー(10)は、可撓性を有するシートまたはネット、具体的には、例えばメッシュシートによって構成されているのが好ましい。側部カバー(10)が可撓性を有していれば、縦枠部材(3)を揺動させて面材(7)付き方形枠(6)の設置角度を変更したり強風時に閉じたりする際、側部カバー(10)をいちいち取り外す必要がなく、揺動作業を迅速に行うことができる。なお、縦枠部材(3)が揺動しない固定タイプのものである場合、可撓性を有していない材料、例えばＦＲＰ製パネル等によって側部カバー(10)を構成してもよい。
側部カバー(10)の形状は特に限定されないが、例えば図１に示すような三角形となされる。三角形の側部カバー(10)としては、例えば図１のように上縁部がほぼ水平となる略直角三角形とする他、上縁部が後上がり傾斜状となる三角形とすることもできる。
側部カバー(10)の下縁部には、複数のハトメ(101)が前後に間隔をおいて設けられている。これらのハトメ(101)に、縦枠部材(3)の上面に設けられた複数のＬ形ピン（取付用ピン）(61)をそれぞれ嵌め入れることにより、側部カバー(10)の下縁部を縦枠部材(3)に取り付けることができる。なお、縦枠部材(3)がＬ形ピン等の取付用ピンを有しないものである場合には、側部カバー(10)下縁部のハトメ(101)に紐（図示略）を通して縦枠部材(3)に結び止めることにより、側部カバー(10)の下縁部を縦枠部材(3)に取り付けてもよい。
また、側部カバー(10)の後縁部にも、複数のハトメ(101)が上下に間隔をおいて設けられている。これらのハトメ(101)に紐(14)を通して支柱(S1)に結び止めることにより、側部カバー(10)の後縁部を支柱(S1)に簡単に取り付けることができる。
なお、図示は省略したが、朝顔装置(1)の右端に位置する面材の右側方が開放している場合には、右端位置の縦枠部材と支柱との間に、上記と同様の側部カバーが設けられる。
【００２３】
図１に示すように、縦枠部材(3)の前端部および支持部材(8)下面の長さ中間部に、それぞれ逆Ｕ形の紐取付部(32)(81)が設けられている。
そして、縦枠部材(3)の紐取付部(32)に一端部が取り付けられた紐(17)が、連結部材(2)よりも上方位置において隣り合う２つの支柱(S1)に渡し止められている手摺(S4)に上から引っ掛けられて下方に垂らされ、紐(17)の他端部が支持部材(8)の紐取付部(81)に取り付けられている。この紐(17)を、踏板(S3)の上に乗った作業員が、下方に繰り出すかまたは上方に引っ張ることにより、面材(7)付き方形枠(6)の傾斜角度を調整することができる。
台風等の強風時には、上記紐(17)を操作して、図１に二点鎖線で示すように面材(7)付き方形枠(6)を略垂直上向きの閉じた状態となる位置まで揺動させ、必要に応じて面材(7)を方形枠(6)から取り外す等の対策を実施する。
【００２４】
上記の仮設足場用朝顔装置(1)によれば、例えば図２に示す左端位置の面材(7)で受けられた落下物が左側に傾いて跳ね返った場合でも、同落下物は、側部カバー(10)に当たることによって、さらに下方に落下するのが阻止されるので、より高い安全性が得られる。
【００２５】
この発明は、上記実施形態に限定されるものではなく、特許請求の範囲に記載されたこの発明の要旨を逸脱しない範囲で適宜に変更を加えた上で実施することができる。
例えば、縦枠部材は、上記のように支持部材によって下方から支える他、上方から線材等で引っ張って支えるようにしてもよい。また、支持部材は、上記のように下端部の係合ピンを移動させて縦枠部材の角度を可変とする他、下端部を移動しないように固定するとともに支持部材に伸縮機構を持たせることによって縦枠部材の角度を可変とすることもできる。
【産業上の利用可能性】
【００２６】
この発明は、仮設足場に張り出し状に設置して、仮設足場からの資材や工具等の落下による事故を防止する朝顔装置として好適に用いられる。
【符号の説明】
【００２７】
(S)：仮設足場
(S1)：支柱
(1)：仮設足場用朝顔装置
(2)：連結部材
(3)：縦枠部材
(4)：前部横枠部材
(5)：後部横枠部材
(6)：方形枠
(61)：Ｌ形ピン（取付用ピン）
(7)：面材
(8)：支持部材
(9)：保持部材
(10)：側部カバー
(101)：ハトメ
【図１】
2020084683.tif 000003
【図２】
2020084683.tif 000004
【図３】
2020084683.tif 000005